(57)【要約】【課題】  遮蔽部材や覗窓等の別設の部品を必要とせずに、軽量化が可能で、コストが安くなり、気密性が充分に保持され、しかも整形の進捗状態の監視が容易なチップドレッサ用切粉捕捉ケ―スを提供する。【解決手段】  切粉捕捉ケ―ス５内にカッタ２を配置し、該ケ―ス２内で両チップを整形するチップドレッサ１において、切粉捕捉ケ―ス５を断面が多角形又は円形の透明な合成樹脂製の筒体で構成し、該筒体の上部側の一面にカッタ挿入用開口８を形成すると共に該カッタ挿入用開口の面と対向した面９および筒体の上面１０にチップ挿入用の切目１１，１２を形成したチップドレッサ用切粉捕捉ケ―ス。【選択図】  図１
0003113897.tif 000002
【実用新案登録請求の範囲】
【請求項１】
切粉捕捉ケ―ス内にカッタを配置し、該ケ―ス内で両チップを整形するチップドレッサにおいて、切粉捕捉ケ―スを断面が多角形又は円形の透明な合成樹脂製の筒体で構成し、該筒体の上部側の一面にカッタ挿入用開口を形成すると共に該カッタ挿入用開口の面と対向した面および筒体の上面にチップ挿入用の切目を形成したことを特徴とするチップドレッサ用切粉捕捉ケ―ス。
【請求項２】
切粉捕捉ケ―ス内にカッタを配置し、該ケ―ス内で両チップを整形するチップドレッサにおいて、切粉捕捉ケ―スを断面が多角形又は円形の透明な合成樹脂製の筒体で構成し、該筒体の中央部の一面にカッタ挿入用開口を形成すると共に該カッタ挿入用開口の面と対向した上側面および下側面にチップ挿入用の切目をそれぞれ形成したことを特徴とするチップドレッサ用切粉捕捉ケ―ス。
【請求項３】
前記筒体を上下２個の分割体で構成し、両分割体の接続部にカッタ挿入用開口を形成すると共に各分割体の周面にチップ挿入用の切目をそれぞれ形成したことを特徴とする請求項２記載のチップドレッサ用切粉捕捉ケ―ス。
【請求項４】
前記チップ挿入用の切目を縦，横方向に形成したことを特徴とする請求項１又は請求項２又は請求項３記載のチップドレッサ用切粉捕捉ケ―ス。
【請求項５】
前記チップ挿入用の切目を放射方向に形成したことを特徴とする請求項１又は請求項２又は請求項３記載のチップドレッサ用切粉捕捉ケ―ス。
【請求項６】
前記筒体の下端開口部にカッタにより切削された切粉を回収する回収口を形成したことを特徴とする請求項１又は請求項２又は請求項３記載のチップドレッサ用切粉捕捉ケ―ス。
【請求項７】
前記筒体にエア―ノズルを挿入する開口を設け、エア―ノズルからのエア―をカッタに吹き付けるようにしたことを特徴とする請求項１又は請求項２又は請求項３記載のチップドレッサ用切粉捕捉ケ―ス。
【考案の詳細な説明】
【技術分野】
【０００１】
本考案は、切粉捕捉ケ―ス内にカッタを配置し、該ケ―ス内で溶接機の両チップを整形するのに適したチップドレッサに関するものである。
【背景技術】
【０００２】
従来，断面が略角形の筒体で構成した切粉捕捉ケ―スの上部側一側面にカッタ挿入用開口を形成すると共に該カッタ挿入用開口の面と対向した面および筒体の上面にチップ挿入用の開口を形成し、切粉捕捉ケ―ス内にカッタを配置してケ―ス内で溶接機の両チップを整形するようにしたチップドレッサがある（例えば、特許文献１参照。）。
【０００３】
【特許文献１】特開２００３ー１０９８０号公報
【考案の開示】
【考案が解決しようとする課題】
【０００４】
ところで、上記従来の技術においては、ケ―ス内でチップを整形するために形成した筒体の側面および上面のチップ挿入用の開口は、チップの整形中に切削された切粉がケ―ス外に飛散するようなことがないようにするため前記開口の外側にゴム製等の弾性を有するチップの挿入が可能な遮蔽部材を重ねて配置されるようになっていることから、その構成が複雑であり製造コストが嵩ばるものである。また、チップの整形中にその整形の進捗状態を監視するのには、筒体が不透明なため筒体の側面に覗窓を特設する必要がある、という問題がある。
【０００５】
本考案は、従来の技術の有するこのような問題点に鑑みてなされたものであり、その目的とするところは、遮蔽部材や覗窓等の別設の部品を必要とせずに、軽量化が可能で、コストが安くなり、気密性が充分に保持され、しかも整形の進捗状態の監視が容易なチップドレッサ用切粉捕捉ケ―スを提供しようとするものである。
【課題を解決するための手段】
【０００６】
上記目的を達成するために、本考案におけるチップドレッサ用切粉捕捉ケ―スは、切粉捕捉ケ―スを断面が多角形又は円形の透明な合成樹脂製の筒体で構成し、該筒体の上部側の一面にカッタ挿入用開口を形成すると共に該カッタ挿入用開口の面と対向した面および筒体の上面にチップ挿入用の切目を形成したことを特徴とするものである。
【０００７】
また、切粉捕捉ケ―スを断面が多角形又は円形の透明な合成樹脂製の筒体で構成し、該筒体の中央部の一面にカッタ挿入用開口を形成すると共に該カッタ挿入用開口の面と対向した上側面および下側面にチップ挿入用の切目をそれぞれ形成したことを特徴とするものである。
【０００８】
また、前記筒体を上下２個の分割体で構成し、両分割体の接続部にカッタ挿入用開口を形成すると共に各分割体の周面にチップ挿入用の切目をそれぞれ形成したことを特徴とするものである。
【０００９】
また、前記チップ挿入用の切目を縦，横方向に形成したことを特徴とするものである。
【００１０】
また、前記チップ挿入用の切目を放射方向に形成したことを特徴とするものである。
【００１１】
また、前記筒体の下端開口部にカッタにより切削された切粉を回収する回収口を形成したことを特徴とするものである。
【００１２】
また、前記筒体にエア―ノズルを挿入する開口を設け、エア―ノズルからのエア―をカッタに吹き付けるようにしたことを特徴とするものである。
【考案の効果】
【００１３】
本考案に係るチップドレッサ用切粉捕捉ケ―スでは、切粉捕捉ケ―スを断面が多角形又は円形の透明な合成樹脂製の筒体で構成し、該筒体の上部側の一面にカッタ挿入用開口を形成すると共に該カッタ挿入用開口の面と対向した面および筒体の上面にチップ挿入用の切目を形成した又は該筒体の中央部の一面にカッタ挿入用開口を形成すると共に該カッタ挿入用開口の面と対向した上側面および下側面にチップ挿入用の切目をそれぞれ形成したあるいは筒体を上下２個の分割体で構成し、両分割体の接続部にカッタ挿入用開口を形成すると共に各分割体の周面にチップ挿入用の切目をそれぞれ形成したので、切粉捕捉ケ―スが透明な筒体であることから覗窓を特設することなくどこからでもチップの整形の進捗状態が目視でき、またチップ挿入用として合成樹脂製の筒体に直接に切目を形成したことからチップの挿入用部材を別形成して取り付けることなく比較的に丈夫で簡単に形成でき且つ気密性も切目の弾性力で保持され、総体的に軽量化が可能で、コストが安くなり、しかも整形の進捗状態の監視が容易なチップドレッサ用切粉捕捉ケ―スとなる。
【００１４】
また、前記チップ挿入用の切目を縦，横方向に形成する，あるいは前記チップ挿入用の切目を放射方向に形成する場合は、予想される溶接機のチップの形状やケ―ス内へのチップの進入経路等に適応した切目を採用することにより気密性のある操作が容易なチップドレッサ用切粉捕捉ケ―スとなる。そして、ロボットに溶接機の動きをティ―チングした後であっても、そのチップの進入経路に沿って切粉捕捉ケ―スの周面に切目を入れることができるので切粉捕捉ケ―スの使用範囲が広く柔軟に適応できるものでもある。
【００１５】
また、前記筒体の下端開口部にカッタにより切削された切粉を回収する回収口を形成した場合には、切削された切粉の回収が容易であり、切粉の再利用にも有利であるチップドレッサ用切粉捕捉ケ―スとなる。
【００１６】
さらに、前記筒体にエア―ノズルを挿入する開口を設け、エア―ノズルからのエア―をカッタに吹き付けるようにした場合には、カッタへの切粉の付着を吹き飛ばしてカッタの目詰まりが防止されるとともにカッタからの切粉を切粉捕捉ケ―ス内で安全で迅速に誘導することができるチップドレッサ用切粉捕捉ケ―スとなる。
【考案を実施するための最良の形態】
【００１７】
チップドレッサ用切粉捕捉ケ―スとして、該ケ―スを断面が多角形又は円形の透明な合成樹脂製の筒体で構成し、筒体の上部側の一面にカッタ挿入用開口を形成すると共に該カッタ挿入用開口の面に略対向した筒体の面にチップ挿入用の切目を形成したことで構成部品の省略を実現した。
【実施例１】
【００１８】
図１は本考案に係る切粉捕捉ケ―スを備えたチップドレッサの要部の概略正面図である。
【００１９】
図１において、１はスタンド型のチップドレッサであり、該チップドレッサ１は、先端側にカッタ２を配置し内部に伝動ギヤ等を内蔵したドレッサ本体３と、該ドレッサ本体３に動力を付与するモ―タ４とで概略構成されている。
【００２０】
また、前記ドレッサ本体３の先端側のカッタ２は切粉捕捉ケ―ス５内に位置しており、カッタ２によって整形されるチップの切粉は切粉捕捉ケ―ス５内に貯溜して回収されるようになっている。なお、６，７はチップドレッサ１で整形される溶接機のチップである。
【００２１】
前記切粉捕捉ケ―ス５は、断面形状が角形の透明な合成樹脂製の例えばペットボトルのようなものであり筒体に構成されている。なお、切粉捕捉ケ―ス５の断面形状は角形でも六角，八角，その他の多角形、あるいは円形状等の任意の形状でもよい。
【００２２】
そして、この切粉捕捉ケ―ス５である筒体の上部側の一面にはカッタ挿入用開口８が形成されており、該カッタ挿入用開口８の面と対向した面９および筒体の上面１０にはチップ挿入用の切目１１，１２がそれぞれ形成されており、この切粉捕捉ケ―ス５は適当な保持手段によって前記ドレッサ本体３側に保持されている。
【００２３】
以上ような構成を備えたチップドレッサ１において、先づ，整形すべき溶接機の両チップ６，７は図１で左側から移動されて、チップ６は切粉捕捉ケ―ス５の面９に形成された切目１１を貫通し切粉捕捉ケ―ス５内のカッタ２の下部に位置され、チップ７は切粉捕捉ケ―ス５より上位でカッタ２の上部に位置される。
【００２４】
次いで、溶接機を多少持ち上げながら且つチップ７側を下降させることにより、チップ６はカッタ２の下面に，チップ７は切粉捕捉ケ―ス５の上面１０に形成された切目１２を貫通し切粉捕捉ケ―ス５内のカッタ２の上面に、それぞれ当接される。
【００２５】
チップの各先端側がカッタ２にそれぞれ当接されるとモ―タ４を駆動することにより、モ―タ４からの回転力はドレッサ本体３内の伝動ギヤ等を介して該ドレッサ本体３の先端側のカッタ２に伝達され、カッタ２を回転させことにより、該カッタ２の両面に当接されているチップ６，７は切粉捕捉ケ―ス５内で同時に整形される。
【００２６】
ところでこの考案によれば、前述の如く切粉捕捉ケ―ス５は透明な筒体で構成されていることから、チップの整形の進捗状態は覗窓を特設することなくどこからでも目視することができる。また、切粉捕捉ケ―ス５にはチップ挿入用として合成樹脂製の筒体の周面及び上面に直接に切目１１，１２が形成されていることから、チップの挿入用部材を別形成して取り付けることなく、チップの挿入部を、切粉捕捉ケ―ス５の周面及び上面で比較的に丈夫で簡単に形成することができ、しかも切粉捕捉ケ―ス５の気密性も切目１１，１２の弾性力で保持されるのである。そして、ロボットに溶接機の動きをティ―チングした後であっても、そのチップの進入経路に沿って切粉捕捉ケ―ス５の周面に切目１１，１２を入れることができる。
【実施例２】
【００２７】
図２は本考案に係る切粉捕捉ケ―スを備えたチップドレッサの他の実施例の要部の概略正面説明図であり、前記実施例１とは、切粉捕捉ケ―ス５の構成が相違したものである。そしてその余の構成は実施例１と実質的に同一であるので図面には同一符号を付してその説明を省略する。
【００２８】
図２において、切粉捕捉ケ―ス５の中央部の一面にカッタ挿入用開口８が形成されていると共に該カッタ挿入用開口８の面と対向した上側面および下側面にチップ挿入用の切目１３，１１がそれぞれ形成されている。
【００２９】
したがって、整形すべき溶接機の両チップ６，７は図２で左側から移動されて、チップ６は切粉捕捉ケ―ス５の面９に形成された切目１１を貫通し、同時にチップ７は切粉捕捉ケ―ス５の面９に形成された切目１３を貫通し、それぞれ切粉捕捉ケ―ス５内のカッタ２の上下部に位置される。
【００３０】
次いで、両チップ６，７の間隔を縮めることによってチップ６はカッタ２の下面に，チップ７はカッタ２の上面に、それぞれ当接される。
【００３１】
この実施例は、Ｘ型溶接機やＣ型溶接機でも開放ストロ―クの短いものに適用することが好ましいものであり、そして作用及び期待する効果は前記実施例１と実質的に同一である。
【実施例３】
【００３２】
図３は本考案に係る切粉捕捉ケ―ス５の他の実施例の要部の斜視図であり、前記実施例２における切粉捕捉ケ―ス５を２分割体で構成したものである。
【００３３】
切粉捕捉ケ―ス５は上部ケ―ス５１と下部ケ―ス５２とに分割して構成され、上部ケ―ス５１の一面の下端部には開口８１が又下部ケ―ス５２の一面の上端部には開口８２が形成され、上部ケ―ス５１の前記一面及び下部ケ―ス５２の前記一面と対向した面にはそれぞれ切目１３及び切目１１が形成され、上部ケ―ス５１の下端部の周面及び下部ケ―ス５２の上端部の周面にはそれぞれピン接続用の孔１４，１４…及び１５，１５…が形成されている。なお、下部ケ―ス５２の下部側を仮想線Ｌ―Ｌで示すような線に沿って切断した場合には、切粉捕捉ケ―ス５は上下で開口することになるので、両電極の開放ストロ―クの大きなものに即応することも可能となる。
【００３４】
したがって、本考案に係る切粉捕捉ケ―ス５を構成するためには、上部ケ―ス５１の下端側と下部ケ―ス５２の上端側を重合し孔１４と１５とを合わせた状態でピン結合を行えばよい。
【実施例４】
【００３５】
前記各実施例における切粉捕捉ケ―ス５のカッタ挿入用開口８の面と対向した面に形成するチップ挿入用の切目を図４に示すように、縦方向に長い１本の切目１１１と該切目１１１と直角に交合う複数の切目１１２のようなものとする。
【００３６】
このような切目１１１，１１２の構成にすると、切粉捕捉ケ―ス５に対してチップの進入経路が複雑でチップの形状も複雑なようなものにも適用し易くなる。
【実施例５】
【００３７】
切粉捕捉ケ―ス５の上面に形成するチップ挿入用の切目１２を図４に示すように中心部から放射方向の切目とする。
【００３８】
このような切目１２の構成にすると、切粉捕捉ケ―ス５に対してチップの進入経路が単純でチップの形状も単純なようなものに適用することが好ましくなる。
【実施例６】
【００３９】
図１において、切粉捕捉ケ―ス５である筒体の下端開口部にカッタ２により切削された切粉を回収する回収口１６を形成する。
【００４０】
このように切粉捕捉ケ―ス５に切粉を回収する回収口１６を形成すると、チップドレッサによって切削された切粉が切粉捕捉ケ―ス５内に貯溜され、これを適宜回収するのにその回収が容易にでき、切粉の再利用にも有利である。
【実施例７】
【００４１】
図２において、切粉捕捉ケ―ス５である筒体にエア―ノズル１７を挿入する開口１８を設け、エア―ノズル１７からのエア―をカッタ２に吹き付けるようにする。
【００４２】
このようにして切粉捕捉ケ―ス５内にエア―を供給することによって、切粉捕捉ケ―ス５内のカッタ２への切粉の付着が吹き飛ばされてカッタ２の目詰まりが防止されるとともにカッタ２からの切粉を切粉捕捉ケ―ス５内で安全で迅速に下方に誘導することができる。
【図面の簡単な説明】
【００４３】
【図１】本考案に係る切粉捕捉ケ―スを備えたチップドレッサの要部の概略正面図である。（実施例１，６）。
【図２】本考案に係る切粉捕捉ケ―スを備えたチップドレッサの要部の概略正面説明図である。（実施例２，７）。
【図３】本考案に係る切粉捕捉ケ―スの要部の概略斜視図である。（実施例３，４，６）。
【図４】切粉捕捉ケ―スの周面および上面に形成した切目の説明図である（実施例１，４，５，６）。
【符号の説明】
【００４４】
１                                  チップドレッサ
２                                  カッタ
５，５１，５２                      切粉捕捉ケ―ス
６，７                              チップ
８，８１，８２                      カッタ挿入用開口
９                                  カッタ挿入用開口の面と対向した側面
１０                                切粉捕捉ケ―スの上面
１１，１２，１３，１１１，１１２    切目
１６                                切粉回収用の回収口
１７                                エア―ノズル
１８                                エア―ノズル挿入用の開口
【図１】
0003113897.tif 000003
【図２】
0003113897.tif 000004
【図３】
0003113897.tif 000005
【図４】
0003113897.tif 000006